(57)【特許請求の範囲】
【請求項１】
天井に円筒状で下方にフランジを有したフレームを埋め込み、前記フレームの外郭面に外側面凹部を設け、前記外側面凹部を可動しながら前記天井に前記フレームを固定する取付金具を設け、前記フレームの下面に開口を有するグリルを設け、前記フランジの外周壁に前記グリルの接続手段を有し、前記フランジに放射状リブまたは円周状リブを設け、前記放射状リブと前記円周状リブが前記天井にすき間が発生するように前記外周壁の高さよりも低くしたことを特徴とするイオン発生装置。
【請求項２】
接続手段としてフランジの外周部に凹部を設け、グリルの内壁には鉛直に台形形状の第一のツメ部を設け、前記凹部と前記第一のツメ部の傾斜部が平行になることを特徴とした請求項１に記載のイオン発生装置。
【請求項３】
接続手段として、フランジの外周部に天井面に水平な溝部を設け、グリルの内壁には水平に長方形形状の第二のツメ部を設け、前記溝部の長辺と前記第二のツメ部とが平行になることを特徴とした請求項１に記載のイオン発生装置。
【請求項４】
グリルの外壁に引掛け部を設け、前記引掛け部の内壁に第二のツメ部を設けることを特徴とする請求項３に記載のイオン発生装置。
【請求項５】
天井とグリルが接する一端がフランジ部より天井面側に突出していることを特徴とする請求項１に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、空気中にイオンやラジカルなどの活性種（以後イオンと記載）を供給して空気中の菌を抑制したり（除菌）、空気中の臭いを分解して取り除く（脱臭）空気浄化を目的として開発され、一般家庭に広く普及している。ここで、天井への設置を目的とされたもの知られている。
【０００３】
また、この種のイオン発生装置の固定方法には、換気や空調に用いられるダクト用換気扇やグリルなどの機器の取付けと同様に、天井面に設けた機器取付用の取付穴への挿入に支障をきたすことがなく、取付け面が破損しにくい形状のものが知られている（例えば、特許文献１参照）。
【０００４】
以下、そのイオン発生装置固定方法について図６を参照しながら説明する。
【０００５】
図６に示すように、本体１０１の外周１０１ａに設けられた凹状の溝部１０２内に起立状態または横伏せ状態に傾倒自在に支持され、本体１０１の下側のフランジ１０３と天井１０４の室内面１０４ａが接し、室外面１０４ｂに圧接される押さえ金具１０５を揺動自在に配設した取付金具１０６を可動する可動体１０７を有した可動手段１０８を備え、取付金具１０６の支持手段１０９および可動手段１０８を奥壁部１１０内に有し、本体１０１の上面にはダクト接続部１１１と本体１０１の下面にはグリル１１２を有している。
【先行技術文献】
【特許文献】
【０００６】
【特許文献１】特開平１０−２４６４８６号公報
【発明の概要】
【発明が解決しようとする課題】
【０００７】
このような従来のイオン発生装置においては、本体を天井に取り付ける際に取付金具によって天井板をフランジと挟み込む形状に対して取付金具の締め付けが強すぎるとフレームのフランジが変形しフランジが天井面から浮き、フランジ面と係合しているグリルが天井面から浮くこととなりデザインが良くない、という課題を有していた。
【０００８】
そこで本発明は、上記従来の課題を解決するものであり、取付金具を施工バラつきなどで締め付けすぎてもグリルと天井にすき間がなくデザインを向上させることができるイオン発生装置を提供することを目的とする。
【課題を解決するための手段】
【０００９】
そして、この目的を達成するために、本発明は、天井に円筒状で下方にフランジを有したフレームを埋め込み、前記フレームの外郭面に外側面凹部を設け、前記外側面凹部を可動しながら前記天井に前記フレームを固定する取付金具を設け、前記フレームの下面に開口を有するグリルを設け、前記フランジの外周壁に前記グリルの接続手段を有し、前記フランジに放射状リブまたは円周状リブを設け、前記放射状リブと前記円周状リブが前記外周壁の高さよりも低くしたこととしたものであり、これにより所期の目的を達成するものである。
【発明の効果】
【００１０】
本発明によれば、天井に円筒状で下方にフランジを有したフレームを埋め込み、前記フレームの外郭面に外側面凹部を設け、前記外側面凹部を可動しながら前記天井に前記フレームを固定する取付金具を設け、前記フレームの下面に開口を有するグリルを設け、前記フランジの外周壁に前記グリルの接続手段を有し、前記フランジに放射状リブまたは円周状リブを設け、前記放射状リブと前記円周状リブが前記外周壁の高さよりも低くしたという構成にしたことにより、放射状リブや円周状リブと天井にすき間があるため、天井にはフランジの外周壁が接し取付金具の締め付けを強くしても、放射状リブや円周状リブと天井にすき間で吸収しフランジの外周壁が必ず天井と接することとなるので、取付金具を施工バラつきなどで締め付けすぎてもグリルと天井にすき間をなくデザインを向上させることができる、という効果を得ることができる。
【図面の簡単な説明】
【００１１】
【図１】本発明の実施の形態１のイオン発生装置を天井に取付けた状態の断面図
【図２】同イオン装置の構成の示す上部分解図
【図３】同イオン装置を示す斜視図
【図４】同イオン装置のフランジ凹部とグリルツメ部の詳細断面図
【図５】同イオン装置のフランジ引掛け部とグリルツメ部の詳細断面図
【図６】従来のイオン発生装置の機器取り付け装置の断面図
【発明を実施するための形態】
【００１２】
本発明のイオン発生装置は、天井に円筒状で下方にフランジを有したフレームを埋め込み、前記フレームの外郭面に外側面凹部を設け、前記外側面凹部を可動しながら前記天井に前記フレームを固定する取付金具を設け、前記フレームの下面に開口を有するグリルを設け、前記フランジの外周壁に前記グリルの接続手段を有し、前記フランジに放射状リブまたは円周状リブを設け、前記放射状リブと前記円周状リブが前記外周壁の高さよりも低くした、という構成を有する。これにより、放射状リブや円周状リブと天井にすき間があるため、天井にはフランジの外周壁が接し取付金具の締め付けを強くしても、放射状リブや円周状リブと天井にすき間で吸収しフランジの外周壁が必ず天井と接することとなるので、取付金具を施工バラつきなどで締め付けすぎてもグリルと天井にすき間をなくデザインを向上させることができる、という効果を奏する。
【００１３】
また、接続手段としてフランジの外周部に凹部を設け、グリルの内壁には鉛直に台形形状の第一のツメ部を設け、前記凹部と前記第一のツメ部の傾斜部が平行になる、という構成にしてもよい。これにより、グリルの取り外し時、グリルの第一のツメ部がフランジの凹部と面接触しながら移動することとなるので、グリルの着脱を容易にすることができる、という効果を奏する。
【００１４】
また、接続手段として、フランジの外周部に天井面に水平な溝部を設け、グリルの内壁には水平に長方形形状の第二のツメ部を設け、前記溝部の長辺と前記第二のツメ部とが平行になる、という構成にしてもよい。これにより、グリルの取付け時、第二のツメ部と溝部の長辺が水平になることとなるので、グリルが天井面に対し水平になるので、グリルが天井に対し傾かずデザイン性を向上することができる、という効果を奏する。
【００１５】
また、グリルの外壁に引掛け部を設け、前記引掛け部の内壁に第二のツメ部を設ける、という構成にしてもよい。これにより、グリルをフレームから取外す時に、引掛け部に力を加えると第二のツメ部の外側に力が加わることとなるので、グリルの着脱を容易にすることができる、という効果を奏する。
【００１６】
また、天井とグリルが接する一端がフランジ部より天井面側に突出している、という構成にしてもよい。これにより、グリルの取付け時、グリルの一端が天井を押し付ける力が加わることとなるので、天井と接することができるので、グリルと天井にすき間が開かずデザイン性を向上することができる、という効果を奏する。
【００１７】
以下、本発明の実施の形態について図面を参照しながら説明する。
【００１８】
（実施の形態１）
図１〜５に示すように、天井にフレームを埋め込み、天井からイオンを発生させるイオン発生装置に係るものであり、図１に示すように、フレーム１は、円筒状を有しており下方にはフランジ２を有し、フレーム１の最上方の天面３には、遠心ファンであるターボファン４とターボファン４を回転させる電動機５を有し、電動機５を保持する天板６を天面３に設けた受け、天板６の下方には電動機５を接続するターボファン４を組み込んで構成されている。
【００１９】
なお、電動機は、直流（ＤＣ）でも交流（ＡＣ）でもどちらでも良い。
【００２０】
そして、フレーム１の左右すなわち側面には取付金具７を設け、図２に示すように、取付金具７は板状の固定金具７ａと根底金具７ｂの二つの部品で構成され、根底金具７ｂは固定金具７ａと接触する接触面を中心に天井１００面と根底金具７ｂが平行となるように回転でき、フレーム１の側面にあいた穴８と固定金具７ａにあいた長穴９を貫通する金具専用ネジ１０の進む方向の先端には、固定ナット１１が設けられている。
【００２１】
金具専用ネジ１０を回転させることで、フレーム１の側面に設けた天井１００側を凹状とした外側面凹部１２によって、回転方向の動きを規制された固定ナット１１が上下に移動し取付金具７を下方に移動させて、フランジ２と取付金具７とで天井１００を挟みこんでフレーム１を天井１００に固定することとなる。
【００２２】
なお、フランジ２に設けてある取り付け穴１３にネジを差し込んで締め付けることで、天井１００に取り付けることも可能である。
【００２３】
図２に示すように、電動機５の軸方向の中央には電動機フランジ１４が設けられており、電動機５は天板６の上方よりネジで電動機フランジ１４を介して取付けられており、ターボファン４は電動機５を天板６に取り付けている面から軸１５にかけて覆い隠す形状となっている。
【００２４】
そして、フレーム１の下面に開口１６を有するグリル１７を設けており、フランジ２には放射状リブ１８または円周状リブ１９があり、この放射状リブ１８と円周状リブ１９の高さは外周壁２０の高さよりも低くなっている（例えば２ｍｍ程度が望ましいが、フレーム１の外周面と放射状リブ１８との接合部が割れない程度の高さならこれに限定されることはない）。
【００２５】
また、天井１００とグリル１７が接する一端２１、すなわち、グリル１７の外周全体に天井１００に向けてリブ状の側壁はフレーム１のフランジ２部より天井１００面側に突出している。
【００２６】
次に、グリル１７の接続手段１０１について図３から図５を参照しながら、説明する。
【００２７】
フランジ２の外周壁２０にはフレーム１の中心に向かって凹部２３を設け、グリル１７の内壁には鉛直に台形形状の第一のツメ部２４がある。この凹部２３と第一のツメ部２４には傾斜部２５が設けてあり、凹部２３と第一のツメ部２４の傾斜角度αは同じで平行となっている。
【００２８】
また、フランジ２の外周壁２０には例えば天井１００に向かって１つの突起部２６を設け、そしてグリル１７の内部にはその突起部２６が引掛けられるように係合部２７があり、第一のツメ部２４と凹部２３が勘合する前に突起部２６に係合部２７に引掛ける構成としている。
【００２９】
そして、フランジ２の突起部２６と１８０度反対側すなわち対向する側には天井１００面に底辺が水平な溝部２８を設け、グリル１７の内壁には水平に長方形形状の第二のツメ部２９がある。
【００３０】
この天井１００面に水平な溝部２８の長辺とグリル１７の内壁の長方形形状の第二のツメ部２９は平行となっている。
【００３１】
また、第二のツメ部２９はグリル１７の外壁に引掛け部３０を設けおり、この引掛け部３０のフレーム１の中心側にある内壁に第二のツメ部２９を設ける構成としている。
【００３２】
次にグリル１７の着脱について説明する。
【００３３】
グリル１７を取り外す場合には、人間の指が入る程度隙間を設けたグリル１７の引掛け部３０に指を入れ、グリル１７の下面を抑え支えながら、引掛け部３０を下側に力を加える。
【００３４】
そして、第二のツメ部２９が外周側にたわみ、フランジの溝部２８より、第二のツメ部２９が外れることとなる。
【００３５】
この時、グリル１７の第一のツメ部２４はフランジ２の凹部２３と傾斜部２５を面接触しながら外周側に移動し、外れる。
【００３６】
グリル１７を取り付ける場合には、グリル１７の係合部にフランジ２の突起部２６を引掛けた後、グリル１７の外した方法の逆の順序で取り付けることになる。このフランジ２の突起部２６は万が一、第１のツメ部と第二のツメ部２９が破損した場合にも、フランジ２の突起部２６がグリル１７の係合部２７に引っ掛かることになるので、グリル１７の落下防止機能も兼ね備えている。
【００３７】
上記構成において、放射状リブ１８と円周状リブ１９が外周壁２０の高さよりも低くしているため、放射状リブ１８や円周状リブ１９と天井１００にすき間が発生し、天井１００にはフランジ２の外周壁２０が先に接する事で、取付金具７の締め付けを強くしても、放射状リブ１８や円周状リブ１９と天井１００とのすき間で吸収し、フランジ２の外周壁２０が必ず天井１００と接することとなるので、取付金具７を施工バラつきなどで締め付けすぎてもグリル１７と天井１００にすき間をなくデザインを向上させることができる。
【００３８】
また、フランジ２の外周部に凹部２３とグリル１７の第一のツメ部２４の傾斜部２５が平行になっているので、グリル１７の取り外し時、グリル１７の第一のツメ部２４がフランジ２の凹部２３と面接触しながら移動することとなり、グリル１７の着脱を容易にすることができる。
【００３９】
この傾斜部２５の傾斜角度αは小さすぎると着脱が堅くなり、大きすぎると引掛りがなくなるため、２０度から４５度が最適である。
【００４０】
また、フランジ２の溝部２８の長辺とグリル１７の第二のツメ部２９とが平行になって結合するため、グリル１７が天井１００面に対して水平となり、グリル１７が天井１００に対し傾かずデザイン性を向上することができる。
【００４１】
また、グリル１７の外壁に引掛け部３０を設け、この引掛け部３０の内壁に第二のツメ部２９を設けているため、第二のツメ部２９が引掛け部３０の近傍にある事になり、グリル１７をフレーム１から取外す時に、引掛け部３０に力を加えると第二のツメ部２９の外側に力が加わり、たわむことになるので、グリルの着脱を容易にすることができる。
【００４２】
また、天井１００とグリル１７が接する一端２１がフランジ２部より天井１００面側に突出しているため、グリル１７の一端２１が天井１００を押し付ける力が加わることとなるので、グリル１７と天井１００にすき間が開かずデザイン性を向上することができる。
【産業上の利用可能性】
【００４３】
本発明にかかるイオン発生装置は、フランジ面と係合しているグリルが天井にすき間なく取り付くこができるので、天井に取り付けられる換気装置においても有用である。
【符号の説明】
【００４４】
１      フレーム
２      フランジ
７      取付金具
１２    外側面凹部
１６    開口
１７    グリル
１８    放射状リブ
１９    円周状リブ
２０    外周壁
２１    一端
２３    凹部
２４    第一のツメ部
２５    傾斜部
２８    溝部
２９    第二のツメ部
３０    引掛け部
１００  天井
【図１】
0005927492.tif 000002
【図２】
0005927492.tif 000003
【図３】
0005927492.tif 000004
【図４】
0005927492.tif 000005
【図５】
0005927492.tif 000006
【図６】
0005927492.tif 000007